(57)【要約】【課題】場所を選ばず盗撮を阻止し、かつ録画したビデオの品質の劣化を小さくできるようにする。【解決手段】電子機器に搭載された撮像部による撮影中に一つ以上の周波数からなる信号音を生成し、生成した信号音をスピーカから出力し、その信号音を外部の音とともに収音部で収音する。そして、収音された音の音声信号に含まれた信号音の周波数を信号音除去部により除去し、撮影された動画の映像信号と信号音除去部を通過し信号音が除去された音声信号を記録部に記録する。【選択図】図１
2010093369.tif 000002
【特許請求の範囲】
【請求項１】
動画を撮影する撮像部と、
前記撮像部による撮影中に一つ以上の周波数からなる信号音を生成する信号音生成部と、
前記信号音生成部が生成した前記信号音を出力するスピーカと、
前記撮影中に入力される音を収音する収音部と、
前記収音部から出力される音声信号に含まれる前記信号音の周波数を除去する信号音除去部と、
前記撮像部で撮影された動画の映像信号と前記信号音除去部を通過した音声信号を記録する記録部と、
を備える電子機器。
【請求項２】
前記信号音生成部は、前記信号音を、等間隔で一つ以上の周波数の音を組み合わせて生成する
請求項１に記載の電子機器。
【請求項３】
前記信号音生成部は、前記信号音を、一つ以上の周波数の音を異なる間隔で組み合わせて生成する
請求項１に記載の電子機器。
【請求項４】
前記信号音除去部は、前記音声信号に含まれる各信号音の周波数すべてを常時除去する
請求項２又は３に記載の電子機器。
【請求項５】
前記信号音生成部は、生成した信号音の周波数および除去タイミングを含む信号音情報を前記信号音除去部に供給し、
前記信号音除去部は、前記信号音情報に基づいて、前記音声信号に含まれる信号音のみを除去する
請求項２又は３に記載の電子機器。
【請求項６】
前記信号音除去部は、前記音声信号に含まれる前記信号音の該当周波数帯について、当該各信号音の長さよりも長い時間除去する
請求項５に記載の電子機器。
【請求項７】
前記信号音除去部は、
前記収音部から出力される音声信号のうち前記信号音の周波数に該当する成分を通過させる第１フィルタと、前記収音部から出力される音声信号に含まれる前記信号音の周波数を除去する第２フィルタと、から構成されるとともに、
前記第１フィルタを通過した音声信号について補間処理を行う補間処理部と、
前記補間処理部で補間処理された音声信号と前記第２フィルタによって前記信号音が除去された音声信号とを加算する加算器と、をさらに備える
請求項５又は６に記載の電子機器。
【請求項８】
前記補間処理部は、前記第１フィルタを通過した前記音声信号について、当該音声信号の除去タイミングの開始点と終了点における強度の平均値を計算し、当該平均値を超えている部分の強度を当該平均値まで下げる
請求項７に記載の電子機器。
【請求項９】
前記補間処理部は、前記第１フィルタを通過した前記音声信号について、当該音声信号の除去タイミングの開始点と終了点における強度に基づいて線形補間を行う
請求項７に記載の電子機器。
【請求項１０】
前記補間処理部は、前記第１フィルタを通過した前記音声信号について、該当する周波数の信号音が付加された部分の強度を付加される前の強度に戻す
請求項７に記載の電子機器。
【請求項１１】
前記音声信号の前記信号音が除去された部分に、白色雑音を挿入する白色雑音挿入部、をさらに備える
請求項５乃至６のいずれかに記載の電子機器。
【請求項１２】
白色雑音挿入部は、前記白色雑音を、前記音声信号の前記信号音が除去された部分よりも長い時間挿入する
請求項１１に記載の電子機器。
【請求項１３】
前記記録部に記録された前記映像信号と前記音声信号を再生する再生手段、をさらに備える
請求項８乃至１０、１２のいずれかに記載の電子機器。
【請求項１４】
電子機器に搭載された撮像部による撮影中に一つ以上の周波数からなる信号音を生成する第１ステップと、
第１ステップにより生成させた前記信号音をスピーカから出力する第２ステップと、
撮影中に入力される音を収音する第３ステップと、
第３ステップにより収音された音の音声信号に含まれる前記信号音の周波数を除去する第４ステップと、
第１ステップで撮影された動画の映像信号と前記信号音除去部を通過した音声信号を記録する第５ステップと、
を含む撮像方法。
【請求項１５】
電子機器に搭載された撮像部による撮影中に一つ以上の周波数からなる信号音を生成する第１ステップと、
第１ステップにより生成させた前記信号音をスピーカから出力する第２ステップと、
撮影中に入力される音を収音する第３ステップと、
第３ステップにより収音された音の音声信号に含まれる前記信号音の周波数を除去する第４ステップと、
第１ステップで撮影された動画の映像信号と前記信号音除去部を通過した音声信号を記録する第５ステップと、
を含む処理をコンピュータに実行させるプログラム。
【発明の詳細な説明】
【技術分野】
【０００１】
本発明は、例えばカメラ付き携帯電話端末等の電子機器において、搭載されたカメラを使用して行われる盗撮を防止する機能を備えた電子機器、撮像方法およびプログラムに関する。
【背景技術】
【０００２】
近年、カメラやビデオカメラの付いた携帯電話端末やノート型パーソナルコンピュータ等の普及により、ユーザはどこでも手軽に写真撮影や映像撮影が行える半面、これらを使用した盗撮などの犯罪が増えている。
【０００３】
静止画を撮影するカメラについては、撮影時にシャッター音を鳴らすことにより盗撮を防止している。日本では各機器メーカによる自主規制、他の国例えば韓国では２００３年に韓国情報通信省がカメラ付き携帯電話端末は必ず６５デシベル以上の撮影音を出すように義務付けている。以下、盗撮などの不正な撮影を禁止する手段として提案されている主なものを説明する。
【０００４】
第１に、正しいシャッター音が鳴った場合のみ撮影を許可するシステムである。このシステムは、シャッター音を防音したり、電気的にスピーカ部分を無効にしたりした場合、シャッター音がメモリに蓄えられている音と異なるため、撮影処理を行わないことが特徴である（特許文献１を参照）。
【０００５】
第２に、撮影されるユーザの顔認識を行い、正当なユーザ（例えばその装置の所有者）の顔が撮影されたと認められた場合は、シャッター音を小さくするという認証機能を備えたシステムである（特許文献２を参照）。
【０００６】
第３に、カメラがローアングルであることを検出すると、警告音を出すもしくは撮影を禁止するシステムである（特許文献３を参照）。
【０００７】
携帯電話端末等に搭載されているビデオカメラは音も録音するため、録画したビデオの品質を考慮すると撮影中に特許文献１，２のように撮影音を鳴らすことができない。そこで、撮影開始時と撮影終了時のみ音を出し、撮影中はランプを点灯することによる盗撮防止を行うことが考えられている。
【０００８】
さらに撮影禁止領域において、撮影禁止信号を出すことにより、ビデオカメラの撮影機能が制限され、撮影を阻止する方法が提案されている。これにより、撮影禁止領域内での盗撮を防止できる。
【０００９】
【特許文献１】特開２００５−０７９６５１号公報
【特許文献２】特開２００６−３１９５５０号公報
【特許文献３】特開２００４−３４３４３４号公報
【発明の開示】
【発明が解決しようとする課題】
【００１０】
ところで、特許文献１の明細書中の段落００７３に、ビデオカメラも可能であることが記述されているが、発明の詳細な説明の記載から、これはビデオカメラに備えられた静止画モードのことと考えられる。もし、映像を録画する際にこの装置を使うと、シャッター音が混入してしまい品質が劣化する。
【００１１】
特許文献２に記載のものは、用途が本人認証であるため、ビデオカメラによる音も含む映像撮影には対応していない。
【００１２】
特許文献３に記載のものは、このシステムでローアングル以外で盗撮を行う場合は、撮影を阻止することができない。
【００１３】
また、撮影開始時と撮影終了時のみ音を出し、撮影中はランプを点灯するという方法では、ランプを覆って隠すこともでき、ランプが点灯していたとしても周囲に盗撮していることを気付かせることが困難である。
【００１４】
さらに、撮影禁止領域で撮影禁止信号を出すことにより撮影を阻止する方法では、使用可能な領域は会社や書店など特定の場所に限られており、行楽地や駅などでの盗撮を阻止することができない。
【００１５】
本発明は、このような状況に鑑みてなされたものであり、場所を選ばず盗撮を阻止し、かつ録画したビデオの品質の劣化を小さくできるようにするものである。
【課題を解決するための手段】
【００１６】
本発明は、電子機器に搭載された撮像部による撮影中に一つ以上の周波数からなる信号音を生成し、生成した信号音をスピーカから出力し、その信号音を外部の音とともに収音部で収音する。そして、収音された音の音声信号に含まれた信号音の周波数を信号音除去部により除去し、撮影された動画の映像信号と信号音除去部を通過し信号音が除去された音声信号を記録部に記録する。
【００１７】
上記構成により、撮影中は常に信号音を流しつつ、記録された音声信号から雑音である信号音の周波数を除去される。
【発明の効果】
【００１８】
以上のように、本発明によれば、場所を選ばず盗撮を阻止し、かつ録画したビデオ（音声信号）の品質の劣化を小さくできるようにするものである。
【発明を実施するための最良の形態】
【００１９】
本発明は、携帯電話端末等の電子機器に搭載したビデオカメラで撮影する際、信号音（雑音）を発生させ、録音時、再生時のいずれかあるいは両方で信号音除去部等によって信号音を除去もしくは所定の処理をする。それにより、場所を選ばず盗撮を阻止して、かつ録画したビデオ（音声信号）の品質の劣化を小さくするものである。
【００２０】
以下、本発明を実施するための最良の形態の例について、添付図面を参照しながら説明する。なお、本発明に係わる電子機器の一例としてカメラ付き携帯電話端末を例に挙げて説明する。説明は下記項目の順に行う。
１．第１の実施の形態（信号音除去部：信号音の該当周波数を常に除去する例）
２．第２の実施の形態（信号音除去部：信号音の該当周波数のみ除去する例）
３．第３の実施の形態（白色雑音挿入部：信号音を除去後、白色雑音を挿入する例）
４．第４の実施の形態（補間処理部：信号音を除去後、補間する例）
５．信号音の具体例（信号音の周波数と生成のタイミングの例）
【００２１】
＜１．第１の実施の形態＞
［第１の実施の形態の概要］
本実施の形態は、撮影中に１つまたは複数の音階からなる信号音を生成し、録音時、再生時のいずれかあるいは両方において収音した音に含まれる信号音を除去するものである。このとき、収音した音に含まれる信号音の音階の周波数全てを常（連続的）に除去することを特徴とする。なお、信号音は、等間隔で１つまたは複数の音階を組み合わせて生成する。
【００２２】
図１は、第１の実施の形態に係る、信号音の生成および除去のタイミングを示している。
図１に示す例では、撮影中に、第１周波数の信号音１と第２周波数の信号音２を等間隔で交互に発生させ、録音もしくは再生時に、信号音１と同じ第１周波数の連続区間３と信号音２と同じ第２周波数の連続区間４を常（連続的）に除去している。なお、この例では周波数が２つの場合を説明したが、信号音に含まれる周波数は１つでもよいし、３つ以上でもよい。
【００２３】
［映像記録装置の構成例］
図２は、図１に示した動作を実現するための映像記録装置の内部構成を機能的に示したブロック図である。ここでは、カメラ付き携帯電話端末の撮影・記録機能に着目して映像記録装置と称している。
本実施の形態に係る映像記録装置１０は、操作部１１、制御部１２、撮像部１３、信号音生成部１４、スピーカ１５、マイク入力部１６、バンドパスフィルタ１７、映像処理部１８、映像用メモリ１９から構成されている。なお、図２に示す例では、携帯電話端末が備える各処理部のうち、本実施の形態を説明するのに必要なもののみ記載してある。
【００２４】
操作部１１は、シャッターボタン、映像撮影開始ボタン、映像撮影停止ボタン、撮影モード（静止画、連写、動画等）を指定するためのモードキー、テンキー、各種ファンクションキーを有するものである。それらのボタン操作、キー操作による操作信号を制御部１２に出力する。なお、映像撮影開始ボタンと映像撮影停止ボタンは同じスイッチにして、１度押されると撮影開始、次に押されると撮影停止になるいわゆるトグルスイッチとしてもよい。
【００２５】
制御部１２は、ＣＰＵ（Central Processing Unit）等により構成され、操作部１１から入力される操作信号に基づいて所定の処理および制御を行うものである。本実施の形態においては、図示しないＲＡＭ（Random Access Memory）をワークエリアとし、ＲＯＭ（Read Only Memory）に記録されたカメラ付き携帯電話端末用の制御プログラムに従って各構成部の制御動作を行う。
【００２６】
撮像部１３は、ガラス若しくはプラスチック等からなる光学レンズおよびＣＣＤ（Charged Coupled Device）等の光学センサにより構成されるものである。撮像部１３では、光学レンズを介して入力される画像を光学センサで電気信号に変換し、図示しないＡ／Ｄ変換回路でアナログの電気信号をデジタルの映像信号に変換し、映像処理部１８に出力する。
【００２７】
信号音生成部１４は、制御部１２からの制御信号に従って、撮影中に所定の周波数および間隔を組み合わせて信号音を生成し、その音声信号をスピーカ１５に出力するものである。信号音は、例えば信号音生成部１４の内部又は外部の図示しないメモリやＲＯＭ等に登録されている信号音をそのまま出力したり、あるいは、信号音生成部１４がメモリ等に登録してある信号音の周波数や区間、間隔を変えて繰り返し出力したりする。
【００２８】
スピーカ１５は、制御部１２からの制御信号に従って、信号音生成部１４から入力された音声信号を音に変換して外部に出力するものである。
【００２９】
マイク入力部１６は、収音部の一例であって、いわゆるマイクロホンにより構成され、通話時の音声または撮影時の外部の音を収録し、電気信号（音声信号）に変換してバンドパスフィルタ１７に出力する。
【００３０】
バンドパスフィルタ１７は、信号音除去部の一例であって、マイク入力部１６が出力する音声信号を取り込み、当該音声信号からスピーカ１５によって混入した信号音の周波数成分を除去して映像処理部１８に出力するものである。このバンドパスフィルタ１７は、音声を収音してからメモリに記録するまでの過程で信号音を除去すればよいから、種々の構成が考えられ、例えばバンドパスフィルタ１７を、マイク入力部１６に内蔵する構成としてもよい。
【００３１】
映像処理部１８は、撮像部１３から入力される映像信号に、マイク入力部１６から出力されバンドパスフィルタ１７を通過した音声信号を多重（混合又は重畳）し、メモリに蓄積できるように処理をして映像用メモリ１９に書き込むものである。すなわち、制御部１２からの制御信号および同期制御に基づいて、映像信号と音声信号に補正処理やＭＰＥＧ−２等の圧縮処理等を行い、処理後の映像データ（動画情報）と音声データ（音声情報）を同期させて映像用メモリ１９に書き込むようにする。
【００３２】
映像用メモリ１９は、映像処理部１８が出力する映像データおよび音声データを記録するものであり、不揮発性の記録部である。例えば、フラッシュメモリ等の半導体メモリやＨＤＤ（Hard Disk Drive）等が適用される。あるいは、映像用メモリ１９には、ＤＶＤ（Digital Versatile Disc）やＵＳＢ（Universal Serial Bus）メモリ等のリムーバブルなメディアを適用してもよい。
【００３３】
［映像記録装置の処理例］
次に、図３に示すフローチャートを参照して、映像記録装置の処理を説明する。
まず、制御部１２は操作部１１からの操作信号の入力の有無を監視しており、操作部１１の映像撮影開始ボタンが押されたことを検出し（ステップＳ１）、次の処理ステップに進む。
【００３４】
制御部１２は、映像撮影開始ボタンが押されたことを検出すると、続いて映像撮影停止ボタンが押されていないか確認する（ステップＳ２）。
【００３５】
ステップＳ２において映像撮影停止ボタンが押されていない場合、制御部１２は撮像部１３で画像を撮影するよう制御し、それと同時に、信号音生成部１４で所定の音階からなる信号音を生成するよう制御する。信号音生成部１４は生成した信号音をスピーカへ出力し、スピーカ１５から信号音を放音する。そして、マイク入力部１６は映像記録装置１０の周囲の音とともにスピーカ１５から流れる信号音を収音し、音声信号に変換する。この音声信号はバンドパスフィルタ１７に入力され、バンドパスフィルタ１７ではスピーカ１５から混入した信号音の周波数成分を、信号音情報に基づいて、当該音声信号から除去し（具体的な動作は後述する。）、映像処理部１８へ出力する（ステップＳ３）。
【００３６】
次に、映像処理部１８は、撮像部１３から取り込んだ映像信号と、バンドパスフィルタ１７から取り込んだ音声信号をメモリに蓄積できるように処理をする（ステップＳ４）。
【００３７】
映像処理部１８は、ステップＳ４の処理が終了後、映像データおよび音声データを映像用メモリ１９に書き込む（ステップＳ５）。
【００３８】
ステップＳ５の処理が終了後はステップＳ２の処理に戻り、制御部１２は、映像撮影停止ボタンが押されていないかどうかを再び確認する。映像撮影停止ボタンが押された場合は、前述のステップＳ３〜Ｓ５の処理を繰り返す。
【００３９】
一方、映像撮影停止ボタンが押された場合は、撮像部１３での画像撮影、スピーカ１５から流す信号音、マイク入力部１６による収音を停止する（ステップＳ６）。この処理が終了後、一連の処理を終了する。
【００４０】
映像処理部１８で処理した映像信号および音声信号を一時的にバッファ（図示略）に蓄えて、撮影が終了してから一括して映像用メモリ１９に書き込むことも可能である。
【００４１】
［信号音の生成および除去］
信号音生成部１４で１以上の音階（周波数）を所定の間隔で生成し、バンドパスフィルタ１７で該当する１以上の音階（周波数）を常（連続的）に除去する。例えば、図１に示したように、２の音階の信号音１（第１周波数）と信号音２（第２周波数）を等間隔で生成し、それぞれの周波数に対応する連続区間３（第１周波数）と連続区間４（第２周波数）を常時除去するようにする。
【００４２】
なお、録音または再生時に該当周波数の音をカット（除去）するのであるから、当然、信号音以外の本来録音・再生されるべき音が除去される。その点においては確かに録音・再生音の劣化が生じている。しかし、人間の聴覚は、「トップダウン型認識システム」が高度に発達しているため、時間的、空間的な劣化または空白部分を補って視聴することができるので、全く問題はない。逆に言えば、劣化に気づきにくい、気にならないとも言える。
【００４３】
ここで、トップダウン処理について補足する。認知科学辞典では次のように定義されている。
概念駆動型処理（トップダウン処理）
人間の情報処理の１つのタイプ。トップダウン処理とも呼ばれる。データ駆動型処理（ボトムアップ処理）と対比される。被験者自身の記憶、概念的知識や、文脈、予期、期待などによって駆動される（処理が開始される）自発的な処理である。例えば「みかん」という単語を見て「果物」というカテゴリを思い浮かべたり、「レモン」「愛媛県」などを連想したりするのは概念駆動型処理による。また、「冬にこたつで食べる果物といえば・・・」といった文脈から「みかん」を生成したり予期したりするのも概念駆動型処理である。概念駆動型処理とデータ駆動型処理は対極的な処理タイプとして考えられているが、実際の認知活動においては、両者は排他的な関係ではなく並行して行われていると考えられている（「認知科学辞典」、日本認知科学会編、共立出版株式会社、２００２年、ｐ.１１２）。
【００４４】
このように、人間は、音声を認識する際に、トップダウン処理（概念駆動）を行うため、特定の周波数が除去されても、それまでの情報から次にこのような音が来るだろうと予測しているため、一般的には補間して正しい音を聞くことができる。
【００４５】
このトップダウン処理は、音の欠落が不規則であるほうがよりその効果が発揮されるとされている。すなわち、信号音がタイミングを変えながら断続的に発生している時に、更にその補間の有効性は高い。よって、その性質を活かして、撮影中に信号音生成部１４によって等間隔ではないタイミングで信号音を生成するようにしてもよい。
【００４６】
上述した実施の形態によれば、撮影中に１つまたは複数の音階からなる信号音を発生し、録音時において収音した音に含まれる信号音を除去するので、場所を選ばず盗撮を阻止することができる。さらに、人間がもともと備える聴覚の機能を利用することにより、録画したビデオの音声信号の品質の劣化を目立ちにくく（気づきにくく）することができる。
【００４７】
［映像記録装置の変形例の構成］
次に、図４を参照して映像記録装置の変形例の構成を説明する。
本実施の形態は、図２に示した映像記録装置において、映像信号と音声信号を別々のメモリに保存するようにしたものである。図４において、図２と対応する部分には同一符号を付し、詳細な説明は割愛する。
【００４８】
図４に示すように、本実施の形態に係る映像記録装置２０は、操作部１１、制御部１２、撮像部１３、信号音生成部１４、スピーカ１５、マイク入力部１６、バンドパスフィルタ１７、画像処理部３１、画像用メモリ３２、音声処理部３３、音声用メモリ３４から構成されている。
【００４９】
画像処理部３１は、撮像部１３から入力される映像信号、メモリに蓄積できるように処理をして画像用メモリ３２に書き込む。例えば、制御部１２からの制御に従って、映像信号に信号処理や圧縮処理等を行い、処理後の映像データ（動画情報）を画像用メモリ３２に書き込むようにする。
【００５０】
音声処理部３３は、マイク入力部１６から出力されバンドパスフィルタ１７を通過した音声信号を、メモリに蓄積できるように処理をして音声用メモリ３４に書き込むものである。すなわち、制御部１２からの制御信号に従って、音声信号に信号処理や圧縮処理等を行い、処理後の音声データ（音声情報）を音声用メモリ３４に書き込むようにする。
【００５１】
画像用メモリ３２および音声用メモリ３４はそれぞれ、映像データと音声データを記録するものであり、不揮発性の記録部である。例えば、フラッシュメモリ等の半導体メモリやＨＤＤ（Hard Disk Drive）等が適用される。映像用メモリ１９と同様にリムーバブルメディアでもよい。
【００５２】
［映像記録装置の変形例の処理］
次に、図５に示すフローチャートを参照して、図４に示した映像記録装置２０の処理を説明する。
基本的な流れは、映像記録装置１０（図２）の処理と同じである。すなわち、図５に示すフローチャートにおけるステップＳ１１〜Ｓ１３，Ｓ１６は、図３に示したフローチャートのステップＳ１〜Ｓ３，Ｓ６と同じである。異なる点は、映像記録装置１０では、映像処理部１８で音声信号と映像信号を一緒に処理して映像用メモリ１９に蓄積していたが、映像記録装置２０（図４）では、音声信号と映像信号をそれぞれ別に処理して別のメモリに蓄積する点である。
【００５３】
図５のフローチャートにおいて、ステップＳ１１〜Ｓ１３の処理が終了後、画像処理部３１は、撮像部１３から取り込んだ映像信号をメモリに蓄積できるように処理をする。また、音声処理部３３は、バンドパスフィルタ１７から取り込んだ音声信号をメモリに蓄積できるように処理をする（ステップＳ１４）。
【００５４】
画像処理部３１および音声処理部３３はそれぞれ、ステップＳ１４の処理が終了後、映像データおよび音声データを画像用メモリ３２および音声用メモリ３４に書き込む（ステップＳ１５）。
【００５５】
ステップＳ１５の処理が終了後はステップＳ１２の処理に戻り、映像撮影停止ボタンが押された場合は、撮像部１３での画像撮影、スピーカ１５から流す信号音、マイク入力部１６による収音を停止する（ステップＳ１６）。この処理が終了後、一連の処理を終了する。
【００５６】
なお、画像処理部３１と音声処理部３３とを別々に記載した例を示したが、映像処理部１８（図２）から画像用メモリ３２、音声用メモリ３４に蓄積することも可能である。また、各処理部で処理した映像信号および音声信号を一時的にバッファ（図示略）に蓄えて、撮影が終了してから一括して画像用メモリ３２および音声用メモリ３４に書き込むことも可能である。
【００５７】
上述した実施の形態によれば、映像データと音声データを別々に処理、保存することができる。
【００５８】
［映像再生装置の構成例］
次に、映像記録装置が信号音除去部（バンドパスフィルタ）を備えていない場合、つまり映像再生装置がバンドパスフィルタを備える場合の構成を説明する。本実施の形態では、この映像再生装置は、映像記録装置とともにカメラ付き携帯電話端末に格納されたものとする。ただし、カメラ付き携帯電話端末と異なる外部機器に設けられてもよいことは勿論である。
【００５９】
図６は、映像再生装置の内部構成を機能的に示したブロック図である。
本実施の形態に係る映像再生装置３０は、操作部２１、制御部２２、映像再生部２３、映像用メモリ２４、バンドパスフィルタ２５、スピーカ２６、表示部２７から構成されている。このうち操作部２１、制御部２２、映像用メモリ２４、バンドパスフィルタ２５およびスピーカ２６は、映像記録装置１０（図２）の操作部１１、制御部１２、映像用メモリ１９、バンドパスフィルタ１７およびスピーカ１５と同一機能を備える。以下、相違点を中心に各処理部を説明する。
【００６０】
操作部２１は、操作部１１と同様に、映像再生開始ボタン、映像再生停止ボタン、再生モード（静止画、連写、動画等）を指定するためのモードキー、テンキー、各種ファンクションキーを有する。
【００６１】
映像再生部２３は、制御部２２からの制御信号に従って、映像用メモリ２４にアクセスして映像信号と音声信号を抽出する。そして、音声を再生できるように処理するとともに、画像を表示できるように処理する。処理後の音声信号および映像信号をそれぞれ、スピーカ２６および表示部２７に出力する。
【００６２】
映像用メモリ２４は、本発明の盗撮防止方法を用いた撮影により生成された映像データおよび音声データが記録されている不揮発性の記録部である。ケーブルや通信回線等を介して映像記録装置１０から映像データと音声データを受信し映像用メモリ２４に記録してもよい。また、映像記録装置１０から取り外した映像用メモリ１９を、映像再生装置３０のスロット（図示略）に差し込んで映像用メモリ２４として使用してもよい。
【００６３】
バンドパスフィルタ２５は、バンドパスフィルタ１７と同機能を備え、映像再生部２３から入力される音声信号に含まれる信号音の周波数成分を除去してスピーカ２６に出力するものである。このバンドパスフィルタ２５は、スピーカ音声を収音してからメモリに記録するまでの過程で信号音を除去すればよいから、種々の構成が考えられ、例えばスピーカ２６に内蔵する構成としてもよい。
【００６４】
表示部２７は、ＬＣＤ（Liquid Crystal Display）等により構成され、制御部２２からの制御信号に従って、映像再生部２３から入力された映像データが示す所要の画面表示を行う。
［映像再生装置の処理例］
次に、図７に示すフローチャートを参照して、映像再生装置３０の処理を説明する。
まず、制御部２２は操作部２１からの操作信号の入力の有無を監視しており、操作部２１の映像再生開始ボタンが押されたことを検出し（ステップＳ２１）、次の処理ステップに進む。
【００６５】
制御部２２は、映像再生開始ボタンが押されたことを検出すると、続いて映像再生停止ボタンが押されていないか確認する（ステップＳ２２）。
【００６６】
ステップＳ２２において映像再生停止ボタンが押されていない場合、映像再生部２３は、映像用メモリ２４にアクセスして音声を再生できるように処理し、また画像を表示できるよう処理する（ステップＳ２３）。
【００６７】
映像再生部２３で処理された音声信号をバンドパスフィルタ２５に入力し、映像記録装置により撮影時に録音された信号音の周波数成分をバンドパスフィルタ２５で除去してスピーカ２６に送り再生する。映像再生部２３で処理された映像信号は、そのまま表示部に入力して表示する（ステップＳ２４）。
【００６８】
次に、ステップＳ２２に戻り、制御部２２は映像再生停止ボタンが押されていないか確認する。映像撮影停止ボタンが押されていない場合は、ステップＳ２３，Ｓ２４の処理を繰り返す。映像撮影停止ボタンが押された場合は、映像再生を停止する（ステップＳ２５）。この処理が終了後、一連の処理を終了する。
【００６９】
映像再生開始ボタンと映像再生停止ボタンは同じスイッチにして、１度押されると再生開始、次に押されると再生停止になるいわゆるトグルスイッチとしてもよい。また、動画の最後まで再生したら最初に戻して再生することも可能である。
【００７０】
上述したように、映像再生装置がバンドパスフィルタ（信号音除去部）を備えることにより、映像記録装置側で撮影時に信号音を混入したままの音声信号であっても、映像再生装置側で該当信号音を除去することができる。よって、映像記録装置にバンドパスフィルタがなくても再生することができ、また、録画したビデオ（音声信号）の品質の劣化を小さくすることができる。
【００７１】
［映像再生装置の変形例の構成］
次に、図８を参照して映像再生装置の変形例の構成を説明する。
本実施の形態は、図６に示した映像再生装置において、映像信号と音声信号を別々のメモリに保存するようにしたものである（映像記録装置２０（図４）に対応した構成）。この図８において、図６と対応する部分には同一符号を付し、詳細な説明は割愛する。
【００７２】
図８に示すように、本実施の形態に係る映像再生装置４０は、操作部２１、制御部２２、映像再生部２３、画像用メモリ３５、音声用メモリ３６、バンドパスフィルタ２５、スピーカ２６、表示部２７から構成されている。
【００７３】
画像用メモリ３５および音声用メモリ３６はそれぞれ、映像データと音声データを記録するものであり、不揮発性の記録部である。例えば、フラッシュメモリ等の半導体メモリやＨＤＤ（Hard Disk Drive）等が適用される。ケーブルを介して映像記録装置２０から映像データと音声データをそれぞれ受信し画像用メモリ３５および音声用メモリ３６に記録してもよい。また、映像記録装置２０から取り外した画像用メモリ３２および音声用メモリ３４を、映像再生装置４０のスロット（図示略）に差し込んで画像用メモリ３５および音声用メモリ３６として使用してもよい。
【００７４】
［映像再生装置の変形例の処理］
次に、図９に示すフローチャートを参照して、図８に示した映像再生装置４０の処理を説明する。
基本的な流れは、映像再生装置３０（図６）による処理と同じである。すなわち、図９に示すフローチャートにおけるステップＳ３１，Ｓ３２，Ｓ３４，Ｓ３５の処理はそれぞれ、図７に示したフローチャートのステップＳ２１，Ｓ２２，Ｓ２４，Ｓ２５と同じである。上述した映像再生装置３０では、映像再生部２３が映像用メモリ２４から音声信号と映像信号を抽出して処理し、それぞれバンドパスフィルタ２５および表示部２７へ出力していた。その点、本実施携帯では、映像再生装置４０（図８）では、音声信号と映像信号をそれぞれ別に処理して別のメモリに蓄積するようにした。以下、相違点を中心に説明する。
【００７５】
図９のフローチャートにおいて、映像再生部２３は、ステップＳ３２の処理で映像再生停止ボタンが押されていない場合、音声用メモリ３６にアクセスして音声を再生できるように処理する。また画像用メモリ３５にアクセスして画像を表示できるように処理する（ステップＳ３３）。
【００７６】
ステップＳ３３の処理が終了後、ステップＳ３４，Ｓ３５の処理を行う。これらの処理は、ステップＳ２４，Ｓ２５と同様である。この処理が終了後、一連の処理を終了する。
【００７７】
上述した実施の形態によれば、別々のメモリに保存された映像データと音声データをそれぞれ処理、再生することができる。
【００７８】
ここでは、映像再生部２３が、音声用メモリ３６と画像用メモリ３５のそれぞれにアクセスする構成を説明したが、音声再生部と画像再生部を設けてそれぞれ別に処理することも可能である。その際には、音声再生部と画像再生部が同期している必要がある。
【００７９】
＜２．第２の実施の形態＞
［本実施の形態の概要］
本実施の形態は、撮影中に１つまたは複数の音階からなる信号音を生成し、録音時、再生時のいずれかあるいは両方において収音した音に含まれる信号音を除去するものである。このとき、信号音が生成されたタイミングに合わせて、収音した音に含まれる信号音の音階の周波数について該当区間のみを除去することを特徴とする。なお、信号音は、１つまたは複数の音階を等間隔または異なる間隔で組み合わせて生成する。
【００８０】
図１０は、第２の実施の形態に係る、信号音の生成および除去のタイミングを示している。
図１０に示す例では、撮影中に、第１周波数の信号音１と第２周波数の信号音２を等間隔で交互に発生させる。そして、録音もしくは再生時に、信号音が生成されたタイミングに合わせて、信号音１と同じ第１周波数の対応する区間６１と信号音２と同じ第２周波数の対応する区間６２をそれぞれ除去することにより、混入した信号音のみを除去している。なお、この例では周波数が２つの場合を説明したが、信号音に含まれる周波数は１つでもよいし、３つ以上でもよい。
【００８１】
［映像記録装置の構成例］
図１１は、図１０に示した動作を実現するための映像記録装置の内部構成を機能的に示したブロック図である。
図１１に示す例では、図２に示した映像記録装置１０に対して、信号音を生成した際の周波数と除去タイミングの情報（信号音情報）を信号音除去部であるバンドパスフィルタに供給するようにしている。図１１において、図２と対応する部分には同一符号を付し、詳細な説明は割愛する。
【００８２】
図１１に示すように、本実施の形態に係る映像記録装置７０は、操作部１１、制御部１２、撮像部１３、信号音生成部１４Ａ、スピーカ１５、マイク入力部１６、バンドパスフィルタ１７、映像処理部１８、映像用メモリ１９から構成されている。
【００８３】
信号音生成部１４Ａは、信号音を生成するという基本機能は信号音生成部１４（図２）と同様であるが、さらに信号音を生成した際の周波数と除去タイミングの情報（信号音情報）を信号音除去部であるバンドパスフィルタ１７に供給する機能が追加されている。除去タイミングは、除去開始時間と除去終了時間である。
【００８４】
バンドパスフィルタ１７は、信号音生成部１４Ａから供給される信号音情報に基づいて、マイク入力部１６から取り込んだ音声信号に含まれる該当周波数帯の信号音のみ、すなわち生成された信号音のみを除去し、除去処理後の音声信号を映像処理部１８へ出力する。
［映像記録装置の処理例］
次に、図１２に示すフローチャートを参照して、映像記録装置の処理を説明する。
図１２において、ステップＳ４３以外、すなわちステップＳ４１，４２，Ｓ４４〜Ｓ４６は、ステップＳ１，２，Ｓ４〜Ｓ６（図３）と同じである。
【００８５】
まず、制御部１２は操作部１１からの操作信号の入力の有無を監視しており、操作部１１の映像撮影開始ボタンが押されたことを検出し（ステップＳ４１）、次の処理ステップに進む。
【００８６】
制御部１２は、映像撮影開始ボタンが押されたことを検出すると、続いて映像撮影停止ボタンが押されていないか確認する（ステップＳ４２）。
【００８７】
ステップＳ４２において映像撮影停止ボタンが押されていない場合、制御部１２は撮像部１３で画像を撮影するよう制御し、それと同時に、信号音生成部１４Ａで所定の音階からなる信号音を生成するよう制御する。信号音生成部１４Ａは生成した信号音をスピーカへ出力し、スピーカ１５から信号音を放音する。また、信号音生成部１４Ａは、生成した信号音の周波数と除去タイミングの情報（信号音情報）をバンドパスフィルタ１７へ供給する。そして、マイク入力部１６は映像記録装置７０の周囲の音とともにスピーカ１５から流れる信号音を収音し、音声信号に変換してバンドパスフィルタ１７に入力する。バンドパスフィルタ１７ではスピーカ１５から混入した信号音の周波数成分を、信号音情報に基づき信号音の発生タイミングに合わせて当該音声信号から除去し（具体的な動作は後述する。）、映像処理部１８へ出力する（ステップＳ４３）。
【００８８】
次に、映像処理部１８は、撮像部１３から取り込んだ映像信号と、バンドパスフィルタ１７から取り込んだ音声信号をメモリに蓄積できるように処理をする（ステップＳ４４）。
【００８９】
映像処理部１８は、ステップＳ４の処理が終了後、映像データおよび音声データを映像用メモリ１９に書き込む（ステップＳ４５）。
【００９０】
ステップＳ４５の処理が終了後はステップＳ４２の処理に戻り、制御部１２は、映像撮影停止ボタンが押されていないかどうかを再び確認する。映像撮影停止ボタンが押されていない場合は、前述のステップＳ４３〜Ｓ４５の処理を繰り返す。
【００９１】
一方、映像撮影停止ボタンが押された場合は、撮像部１３での画像撮影、スピーカ１５から流す信号音、マイク入力部１６による収音を停止する（ステップＳ４６）。この処理が終了後、一連の処理を終了する。
【００９２】
［信号音の生成および除去］
信号音生成部１４Ａで１以上の音階（周波数）を所定の間隔で生成し、バンドパスフィルタ１７で信号音情報（周波数、除去タイミング）に基づいて該当する１以上の音階（周波数）のみを除去する。例えば、図１０に示したように、２の音階の信号音１（第１周波数）と信号音２（第２周波数）を等間隔で交互に生成し、信号音１と同じ第１周波数で同じ長さの区間６１と信号音２と同じ第２周波数で同じ長さの区間６２をそれぞれ交互に除去する。
【００９３】
上述した実施の形態によれば、信号音の生成に合わせて、生成された音階（周波数）のみを除去する、すなわち信号音が鳴っている時のみ除去するので、音の劣化を少なくすることが可能である。これは、信号音生成部１４Ａから生成した信号音情報をバンドパスフィルタ１７に入力することにより実現することが可能である。
【００９４】
なお、映像記録装置２０に本実施の形態の特徴部分である信号音生成部１４Ａを適用することもできる。映像記録装置で該当周波数を除去する場合、信号音生成部１４Ａは信号音情報（周波数、除去タイミング）をバンドパスフィルタ１７に通知する。一方、映像再生装置側で該当周波数を除去する場合、信号音生成部１４Ａは信号音情報（周波数、除去タイミング）をメモリに記録する。映像再生装置側で除去する例については、第３の実施の形態の中で説明する。
【００９５】
また、本実施の形態においても、第１の実施の形態の場合と同様、「映像用メモリを使用する形態（図２，図６）」と「音声用メモリと画像用メモリを使用する形態（図４，図８）」の両方の形態が適用できる。
【００９６】
［第２の実施の形態の変形例（１）］
図１３は、第２の実施の形態の第１の変形例に係る、信号音の生成および除去のタイミングを説明するための図である。
本実施の形態は、バンドパスフィルタ１７が、音声信号に含まれる信号音の該当周波数帯について、各信号音の長さよりも長い時間除去するというものである。
【００９７】
図１３に示すように、信号音１に対応する区間６１の前に区間６１ａ１と後に区間６１ａ２が、信号音２に対応する区間６２の前に区間６２ａ１と後に区間６２ａ２が設定される。信号音生成部１４Ａが出力する信号音情報にこれらの区間情報が含まれ、バンドパスフィルタ１７は信号音情報に含まれる区間情報に従って、該当する周波数を信号音のタイミングに合わせて長めに除去する。この例では、信号音発生の前後で信号音を除去しているが、前または後のみ除去することなども可能である。
【００９８】
録音時または再生時での該当周波数の除去は、遅延など時間的なズレが発生する場合もある。そこで、除去タイミング（除去区間）を信号音の生成タイミングよりも長めに設定することにより、時間的なズレを吸収することができ、信号音の良好な除去処理が実現されるので、ビデオの品質が向上する。
【００９９】
［第２の実施の形態の変形例（２）］
図１４は、第２の実施の形態の第２の変形例に係る、信号音の生成および除去のタイミングを説明するための図である。
本実施の形態は、撮影中に１つまたは複数の音階からなる不規則な発生タイミングの組合せからなる信号音を生成し、録音時、再生時のいずれかあるいは両方において収音した音に含まれる信号音を除去するものである。このとき、信号音が生成されたタイミングに合わせて、収音した音に含まれる信号音の音階の周波数について該当区間のみを除去することを特徴とする。つまり、図１０に示したような規則的なタイミングで生成された信号音ではなく、不規則な間隔で生成された信号音を、当該信号音が生成されたタイミングで全ての音を除去する。
【０１００】
図１４に示す例では、撮影中に、第１周波数の信号音８１Ａ，８１Ｂ，８１Ｃと第２周波数の信号音８２Ａ，８２Ｂ，８２Ｃが不規則な発生タイミングで交互に組み合わされて生成されている。これらの信号音についての信号音情報が信号音生成部１４Ａからバンドパスフィルタ１７に通知される。そして、バンドパスフィルタ１７は信号音が生成されたタイミングに合わせて、第１周波数の各信号音に対応する区間９１Ａ，９１Ｂ，９１Ｃと第２周波数の各信号音に対応する区間９２Ａ，９２Ｂ，９２Ｃをそれぞれ除去する。これにより、信号音が不規則なタイミングの場合であっても、音声信号から信号音のみを除去している。
【０１０１】
既述したとおり、トップダウン処理は、音の欠落が不規則であるほうがよりその効果が発揮されるとされている。よって、本実施の形態のように、撮影中に信号音生成部１４Ａによって等間隔ではないタイミングで信号音を生成し、当該信号音が生成されたタイミングで全ての音を除去すると、トップダウン処理の効果が高まる。
【０１０２】
［第２の実施の形態の変形例（３）］
図１５は、第２の実施の形態の第３の変形例に係る、信号音の生成および除去のタイミングを説明するための図である。
本実施の形態は、第２の実施の形態の第２の変形例に、第２の実施の形態の第１の変形例を適用したものである。すなわち、本実施形態は、撮影中に１つまたは複数の音階からなる不規則な発生タイミングの組合せからなる信号音を生成し、バンドパスフィルタ１７が、音声信号に含まれる信号音の該当周波数帯について、各信号音の長さよりも長い時間除去するというものである。
【０１０３】
図１５に示すように、第１周波数の信号音８１Ａに対応する区間９１Ａの前後に区間９１Ａ１，９１Ａ２が、第２周波数の信号音８２Ａに対応する区間９２Ａの前後に区間９２Ａ１，９２Ａ２が設定される。同様にして、第１周波数の信号音８１Ｂに対応する区間９１Ｂの前後に区間９１Ｂ１，９１Ｂ２が、第２周波数の信号音８２Ｂに対応する区間９２Ｂの前後に区間９２Ｂ１，９２Ｂ２が設定される。さらに、第１周波数の信号音８１Ｃに対応する区間９１Ｃの前後に区間９１Ｃ１，９１Ｃ２が、第２周波数の信号音８２Ｃに対応する区間９２Ｃの前後に区間９２Ｃ１，９２Ｃ２が設定される。信号音生成部１４Ａが出力する信号音情報にこれらの区間情報が含まれ、バンドパスフィルタ１７は信号音情報に含まれる区間情報に従って、該当する周波数を信号音のタイミングに合わせて長めに除去する。
【０１０４】
上述した実施の形態の場合、第２の実施の形態の第１の変形例と同様に、除去タイミング（除去区間）を信号音の生成タイミングよりも長めに設定することにより、遅延等の時間的なズレを吸収することができる。それにより信号音の良好な除去処理が実現され、ビデオの品質が向上する。
【０１０５】
＜３．第３の実施の形態＞
［本実施の形態の概要］
本実施の形態は、撮影中に１つまたは複数の音階からなる信号音を生成し、各信号音が生成されたタイミングで録音を消去（全ての周波数を除去）するとともに、消去して空白（無音）となっている部分に白色雑音を挿入するというものである。なお、信号音は、１つまたは複数の音階を等間隔または異なる間隔で組み合わせて生成する。
【０１０６】
図１６は、第３の実施の形態に係る、信号音の生成および除去のタイミングを説明するための図である。
図１６に示す例では、撮影中に、第１周波数の信号音８１Ａ，８１Ｂ，８１Ｃと第２周波数の信号音８２Ａ，８２Ｂ，８２Ｃが不規則な発生タイミングで交互に組み合わされて生成されている。各信号音が生成されたタイミングすなわち区間９１Ａ，９２Ａ，９１Ｂ，９２Ｂ，９１Ｃ，９２Ｃで、全ての周波数が除去される。そして、除去処理によって空白となった各区間に、白色雑音１０１Ａ，１０２Ａ，１０１Ｂ，１０２Ｂ，１０１Ｃ，１０２Ｃをそれぞれ挿入している。なお、全ての周波数を除去せずに、特定の周波数だけを除去することも可能である。
【０１０７】
［映像記録装置の構成例］
図１７は、図１６に示した動作を実現するための映像記録装置の内部構成を機能的に示したブロック図である。
本実施の形態は、図１１に示した映像記録装置７０に対して、白色雑音を挿入する白色雑音挿入部を新たに設けている。図１７において、図１１と対応する部分には同一符号を付し、詳細な説明は割愛する。
【０１０８】
図１７に示すように、本実施の形態に係る映像記録装置１１０は、操作部１１、制御部１２、撮像部１３、信号音生成部１４Ａ、スピーカ１５、マイク入力部１６、バンドパスフィルタ１７、白色雑音挿入部１１１、映像処理部１８、映像用メモリ１９から構成されている。
【０１０９】
信号音生成部１４Ａは、信号音を発生し、生成した信号音の周波数と除去タイミングの情報（信号音情報）をバンドパスフィルタ１７に供給する機能に加え、白色雑音挿入部１１１に対して白色雑音の挿入タイミングの情報を供給する機能を備える。挿入タイミングは、挿入開始時間と挿入終了時間である。
【０１１０】
白色雑音挿入部１１１は、バンドパスフィルタ１７によって所定の除去タイミングで全ての周波数が除去された音声信号の該当部分（区間）に、信号音生成部１４Ａから供給される挿入タイミングに基づいて所定強度の白色雑音を挿入（重畳）するものである。そして、白色雑音を挿入した音声信号を映像処理部１８へ出力する。挿入する白色雑音の強度は、音声信号の強度に応じて決定するのが好適であり、制御部１２が指示するものとする。
【０１１１】
バンドパスフィルタ１７は、信号音生成部１４Ａからの信号音情報に従って、入力された音声信号から所定のタイミングで全ての周波数を除去するものであるが、特定の周波数のみを除去するようにしてもよい。
【０１１２】
［映像記録装置の処理例］
【０１１３】
次に、図１８に示すフローチャートを参照して、映像記録装置の処理を説明する。
図１８において、ステップＳ５３，Ｓ５４以外、すなわちステップＳ５１，５２，Ｓ５５〜Ｓ５７は、ステップＳ４１，４２，Ｓ４４〜Ｓ４６（図１２）と同じである。
【０１１４】
まず、制御部１２は操作部１１からの操作信号の入力の有無を監視しており、操作部１１の映像撮影開始ボタンが押されたことを検出し（ステップＳ５１）、次の処理ステップに進む。
【０１１５】
制御部１２は、映像撮影開始ボタンが押されたことを検出すると、続いて映像撮影停止ボタンが押されていないか確認する（ステップＳ５２）。
【０１１６】
ステップＳ５２において映像撮影停止ボタンが押されていない場合、制御部１２は撮像部１３で画像を撮影するよう制御し、それと同時に、信号音生成部１４Ａで所定の音階からなる信号音を生成するよう制御する。信号音生成部１４Ａは生成した信号音をスピーカへ出力し、スピーカ１５から信号音を放音する。また、信号音生成部１４Ａは、生成した信号音の周波数と除去タイミングの情報（信号音情報）をバンドパスフィルタ１７へ供給する。そして、マイク入力部１６は映像記録装置１１０の周囲の音とともにスピーカ１５から流れる信号音を収音し、音声信号に変換してバンドパスフィルタ１７に入力する。バンドパスフィルタ１７では、信号音情報に基づき信号音の発生タイミングに合わせて全ての周波数を除去する（具体的な動作は後述する。）（ステップＳ５３）。
【０１１７】
バンドパスフィルタ１７は、信号音のタイミングに合わせて全ての周波数が除去された音声信号の該当部分（区間）に、所定強度の白色雑音を挿入する（ステップＳ５４）。
【０１１８】
次に、映像処理部１８は、撮像部１３から取り込んだ映像信号と、バンドパスフィルタ１７から取り込んだ音声信号をメモリに蓄積できるように処理をする（ステップＳ５５）。
【０１１９】
映像処理部１８は、ステップＳ５５の処理が終了後、映像データおよび音声データを映像用メモリ１９に書き込む（ステップＳ５６）。
【０１２０】
ステップＳ５６の処理が終了後はステップＳ５２の処理に戻り、制御部１２は、映像撮影停止ボタンが押されていないかどうかを再び確認する。映像撮影停止ボタンが押されていない場合は、前述のステップＳ５３〜Ｓ５６の処理を繰り返す。
【０１２１】
一方、映像撮影停止ボタンが押された場合は、撮像部１３での画像撮影、スピーカ１５から流す信号音、マイク入力部１６による収音を停止する（ステップＳ５７）。この処理が終了後、一連の処理を終了する。
【０１２２】
上述した実施の形態によれば、信号音の発生タイミングに合わせて音声信号に空白区間を作り、白色雑音を挿入したので、トップダウン処理による補間の効果を高めることができる。一般に、人間の聴覚は、全くの無音より白色雑音が混入しているほうがより補間効果が高いとされている。すなわち、白色雑音を挿入すると、ユーザはビデオ（音声信号）を再生したときの劣化が少ないと感じる。
【０１２３】
なお、本実施の形態においても、第１の実施の形態の場合と同様、「映像用メモリを使用する形態（図２，図６）」と「音声用メモリと画像用メモリを使用する形態（図４，図８）」の両方の形態が適用できる。
【０１２４】
［第３の実施の形態の変形例（１）］
図１９は、第３の実施の形態の第１の変形例に係る、信号音の生成および除去のタイミングを説明するための図である。
本実施の形態は、第３の実施の形態に、第２の実施の形態の第１または第３の変形例を適用したものである。すなわち、撮影中に１つまたは複数の音階からなる信号音を生成し、各信号音が生成されたタイミングで録音を消去（全ての周波数を除去）するとともに、消去して空白となっている部分に信号音生成のタイミングより長めに白色雑音を挿入するというものである。
【０１２５】
図１９に示すように、第１周波数の信号音８１Ａに対応する区間９１Ａに挿入する白色雑音１０１Ａの前後にさらに白色雑音１０１Ａ１，１０１Ａ２が挿入される。また、第２周波数の信号音８２Ａに対応する区間９２Ａに挿入する白色雑音１０２Ａの前後にさらに白色雑音１０２Ａ１，１０２Ａ２が挿入される。同様にして、第１周波数の信号音８１Ｂに対応する区間９１Ｂに挿入する白色雑音１０１Ｂの前後にさらに白色雑音１０１Ｂ１，１０１Ｂ２が挿入される。また、第２周波数の信号音８２Ｂに対応する区間９２Ｂに挿入する白色雑音１０２Ｂの前後にさらに白色雑音１０２Ｂ１，１０２Ｂ２が挿入される。さらに、第１周波数の信号音８１Ｃに対応する区間９１Ｃに挿入する白色雑音１０１Ｃの前後にさらに白色雑音１０１Ｃ１，１０１Ｃ２が挿入される。また、第２周波数の信号音８２Ｃに対応する区間９２Ｃに挿入する白色雑音１０２Ｃの前後にさらに白色雑音１０２Ｃ１，１０２Ｃ２が挿入される。
【０１２６】
上述した実施の形態によれば、第２の実施の形態の第１および第３の変形例と同様の効果が得られる。すなわち、白色雑音の挿入タイミング（挿入区間）を信号音の生成タイミング（＝除去タイミング）よりも長めに設定することにより、遅延等の時間的なズレを吸収することができる。それにより白色雑音の良好な挿入処理が実現され、ビデオの品質が向上する。
【０１２７】
［第３の実施の形態の変形例（２）］
図２０は、第３の実施の形態の第２の変形例に係る、信号音の生成および除去のタイミングを説明するための図である。
本実施の形態は、第３の実施の形態の第１の変形例に、第２の実施の形態の第１または第３の変形例をさらに適用したものである。すなわち、撮影中に１つまたは複数の音階からなる信号音を生成し、各信号音が生成されたタイミングより長めに録音を消去（全ての周波数を除去）し、消去して空白となっている部分に信号音生成のタイミングより長めに白色雑音を挿入するというものである。
【０１２８】
図２０に示すように、第１周波数の信号音８１Ａに対応する区間９１Ａの前後に区間９１Ａ１，９１Ａ２が設定され、さらに、区間９１Ａ１，９１Ａ，９１Ａ２の合計区間に対応する白色雑音１０１Ａとその前後に白色雑音１０１Ａ１，１０１Ａ２が挿入される。
【０１２９】
上述した実施の形態によれば、第３の実施の形態の第１の変形例による効果に加え、さらに次の効果が得られる。すなわち、第１段として、除去タイミング（除去区間）を信号音の生成タイミングよりも長めに設定することにより、遅延等の時間的なズレを吸収する。第２段として、白色雑音の挿入タイミング（挿入区間）を信号音の除去タイミングよりも長めに設定することにより、ここでも時間的なズレを吸収する。それにより信号音の除去および白色雑音の挿入が良好に実施され、ビデオの品質が向上する。
【０１３０】
なお、図１９および図２０の例では、該当周波数の除去タイミングの前後で白色雑音を挿入しているが、後のみもしくは前のみ除去することも可能である。また、「録音もしくは再生時に除去する周波数」と「白色雑音挿入」のタイミングを合わせることが可能である。
【０１３１】
［第３の実施の形態の変形例（３）］
次に、図２１〜図２４を参照して第３の実施の形態の第３の変形例を説明する。
本実施の形態は、映像再生装置で白色雑音の挿入を行うようにした場合の例であって、図１７に示した映像記録装置１１０の白色雑音挿入部１１１を削除し、代わりに信号音用メモリを設けるようにしたものである。
【０１３２】
［映像記録装置の構成例］
図２１は、第３の実施の形態の第３の変形例に係る、映像記録装置の内部構成を機能的に示したブロック図である。
図２１に示すように、本実施の形態に係る映像記録装置１２０は、操作部１１、制御部１２、撮像部１３、信号音生成部１４Ａ、スピーカ１５、マイク入力部１６、バンドパスフィルタ１７、映像処理部１８、映像用メモリ１９、信号音用メモリ１２１から構成されている。
【０１３３】
映像記録装置１２０は、映像記録装置１１０（図１７）の白色雑音挿入部１１１を削除した構成としているので、マイク入力部１６から出力されバンドパスフィルタ１７を通過した音声信号は、映像処理部１８に直接入力される。
【０１３４】
信号音用メモリ１２１は、信号音生成部１４Ａが生成した白色雑音の挿入タイミングの情報を記録する不揮発性の記録部である。例えば、フラッシュメモリ等の半導体メモリやＨＤＤ（Hard Disk Drive）等が適用される。あるいは、ＤＶＤ（Digital Versatile Disc）やＵＳＢ（Universal Serial Bus）メモリ等のリムーバブルなメディアを適用してもよい。
【０１３５】
［映像記録装置の処理例］
次に、図２２に示すフローチャートを参照して、映像記録装置１２０の処理を説明する。
図２２において、ステップＳ６４以外、すなわちステップＳ６１〜Ｓ６３，Ｓ６５〜Ｓ６７の処理はそれぞれ、ステップＳ５１〜Ｓ５３，Ｓ５５〜Ｓ５７（図１８）と同じであり、重複部分については詳細な説明を割愛する。
【０１３６】
まず、制御部１２は操作部１１からの操作信号の入力の有無を監視しており、操作部１１の映像撮影開始ボタンが押されたことを検出し（ステップＳ６１）、次の処理ステップに進み、ステップＳ６２，Ｓ６３の処理を実行する。
【０１３７】
ステップＳ６３の処理と並行してまたは終了後、信号音生成部１４Ａは生成した白色雑音の挿入タイミングの情報を信号音用メモリ１２１に記録する（ステップＳ６４）。
【０１３８】
ステップＳ６４の処理後、ステップＳ６５，Ｓ６６の処理を実行し、ステップＳ６２へ戻る。制御部１２は、映像撮影停止ボタンが押されていないかどうかを再び確認する。映像撮影停止ボタンが押されていない場合は、ステップＳ６３〜Ｓ６６の処理を繰り返す。
【０１３９】
一方、映像撮影停止ボタンが押された場合は、撮像部１３での画像撮影、スピーカ１５から流す信号音、マイク入力部１６による収音を停止する（ステップＳ６７）。この処理が終了後、一連の処理を終了する。
【０１４０】
［映像再生装置の構成例］
図２３は、第３の実施の形態の第３の変形例に係る、映像記録装置と組み合わせて使用される映像再生装置の内部構成を機能的に示したブロック図である。
図２３に示すように、本実施の形態に係る映像再生装置１３０は、操作部２１、制御部２２、映像再生部２３、映像用メモリ２４、スピーカ２６、表示部２７、白色雑音挿入部１３１、信号音用メモリ１３２から構成されている。なお、図２３において、図６と対応する部分には同一符号を付し、重複部分について詳細な説明を割愛する。
【０１４１】
映像再生装置１３０において、映像再生部２３は制御部２２からの制御信号に従って、映像用メモリ２４にアクセスして映像信号と音声信号を抽出する。そして、音声を再生できるように処理するとともに、画像を表示できるように処理する。処理後の音声信号および映像信号をそれぞれ、白色雑音挿入部１３１および表示部２７に出力する。
【０１４２】
白色雑音挿入部１３１は、白色雑音挿入部１１１と同一機能を備えるものである。映像再生部２３から音声信号が入力されると、信号音用メモリ１３２から白色雑音の挿入タイミングの情報を読み出し、読み出した挿入タイミングに基づいて、当該音声信号に白色雑音を挿入（重畳）する。そして、白色雑音を挿入した音声信号をスピーカ２６へ出力する。
【０１４３】
信号音用メモリ１３２は、映像記録装置１２０の信号音生成部１４Ａが生成した白色雑音の挿入タイミングの情報を記録する不揮発性の記録部である。ケーブルや通信回線等を介して映像記録装置１２０から挿入タイミングの情報を受信し信号音用メモリ１３２に記録してもよい。あるいは、映像記録装置１２０から取り外した信号音用メモリ１２１を、映像再生装置１３０のスロット（図示略）に差し込んで信号音用メモリ１３２として使用してもよい。
【０１４４】
［映像再生装置の処理例］
次に、図２４に示すフローチャートを参照して、映像再生装置１３０の処理を説明する。
図２４において、ステップＳ７４以外、すなわちステップＳ７１〜Ｓ７３，Ｓ７５の処理はそれぞれ、ステップＳ２１〜Ｓ２３，Ｓ２５（図７）と同じであり、重複部分については詳細な説明を割愛する。
【０１４５】
まず、制御部２２は操作部２１からの操作信号の入力の有無を監視しており、操作部２１の映像再生開始ボタンが押されたことを検出し（ステップＳ７１）、次の処理ステップに進み、ステップＳ７２，Ｓ７３の処理を実行する。
【０１４６】
白色雑音挿入部１３１は、信号音用メモリ１３２から白色雑音の挿入タイミングの情報を読み出し、読み出した挿入タイミングに基づいて、映像再生部２３から供給される音声信号に白色雑音を挿入（重畳）する。そして、白色雑音を挿入した音声信号をスピーカ２６へ送り再生する。一方、映像再生部２３で処理された映像信号は、そのまま表示部に入力して表示する（ステップＳ７４）。
【０１４７】
次に、ステップＳ７２に戻り、制御部２２は映像再生停止ボタンが押されていないか確認する。映像撮影停止ボタンが押されていない場合は、ステップＳ７３，Ｓ７４の処理を繰り返す。映像撮影停止ボタンが押された場合は、映像再生を停止する（ステップＳ７５）。この処理が終了後、一連の処理を終了する。
【０１４８】
上述した実施の形態によれば、映像再生装置が白色雑音挿入部を備えることにより、撮影時に信号音が除去（空白化）されたままの音声信号であっても、挿入タイミング情報を使い回し映像再生装置側で該当部分に白色雑音を挿入することができる。よって、映像記録装置が白色雑音挿入部を備えていなくても、映像再生装置側で品質の劣化の少ない再生を行うことができる。
【０１４９】
なお、映像再生装置１３０にバンドパスフィルタ１７および白色雑音挿入部１３１を設けることにより、映像再生装置１３０で信号音の除去と白色雑音を重畳することも可能である。
【０１５０】
＜４．第４の実施の形態＞
［本実施の形態の概要］
本実施の形態は、信号音の生成タイミングに合わせて、音声信号から該当周波数帯を除去した後に除去対象について補間処理を行うものである。なお、信号音は、等間隔または不規則なタイミングで１つまたは複数の音階を組み合わせて生成する。
【０１５１】
図２５は、第４の実施の形態に係る、信号音を重畳した場合の該当周波数帯における時間と音圧レベルの関係（時間特性曲線）の一例を示すグラフである。横軸は時間（ｔ）、縦軸は音圧レベル（強度）を示している。
通常、マイク入力部により収音した音声信号１６０に信号音１６０ａを重畳すると、図２５に示すように、信号音発生時に対応する部分の音声信号１６０の音圧レベルが信号音１６０ａの分だけ大きくなる。そして、信号音の発生タイミングに合わせて音声信号１６０から信号音１６０ａを除去すると、信号音発生時に対応する部分の音声信号の音圧レベルが０になる。本実施の形態では、音声信号のうち信号音が除去された箇所を対象として補間処理を行い、除去処理後の音声信号１６０の対象部分の音圧レベルが０にならないようにする。
【０１５２】
図２６は、第４の実施の形態の第１例に係る、信号音の除去および補間を説明するための図である。
本例は、音声信号１６０の対象部分の前後の音圧レベルの平均値を求める方法である。すなわち、信号音の発生タイミング（除去タイミング）の前後、すなわち音声信号１６０の除去タイミングの開始点と終了点における音圧レベルの平均値（信号音発生範囲の補正後の音声信号１６０ｂ）を計算し、平均値を超える部分を除去し、対象部分の音圧レベルを平均値まで下げるものである。
【０１５３】
図２７は、第４の実施の形態の第２例に係る、信号音の除去および補間を説明するための図である。
本例は、音声信号１６０の対象部分の前後の音圧レベルを用いて線形補間する方法である。すなわち、音声信号１６０の除去タイミングの開始点と終了点における音圧レベルに基づいて線形補間を行い、線形補間により求めた直線（信号音発生範囲の補正後の音声信号１６０ｃ）を超える部分を除去し、対象部分の音圧レベルを直線で規定される水準まで下げるものである。
【０１５４】
図２８は、第４の実施の形態の第３例に係る、信号音の除去および補間を説明するための図である。
本例は、信号音により付加された成分のみ削除する方法である。すなわち、対象部分の音圧レベルを、信号音を付加する前の状態（信号音発生範囲の補正後の音声信号１６０ｄ）に戻すものである。
【０１５５】
［映像記録装置の構成例］
図２９は、図２６〜図２８に示した動作を実現するための映像記録装置の内部構成を機能的に示したブロック図である。なお、図２９において、図１１と対応する部分には同一符号を付し、詳細な説明は割愛する。
【０１５６】
本例は、図１１に示す映像記録装置７０に対して、信号除去部であるバンドパスフィルタ１７を削除し、上述の処理を行うための新たな信号除去部、補間処理部および加算器を設けたものである。具体的には、第１フィルタ１７１、第１メモリ１７２、第２フィルタ１７４および第２メモリ１７５から構成される新たな信号除去部と、補間処理部としてのゲイン調整部１７３と、加算器１７６が設置されている。
【０１５７】
制御部１２は、映像記録装置７０の制御部１２の機能に加え、ゲイン調整部１７３の調整内容（パラメータ）の変更、ゲイン調整部１７３および加算器１７６による信号音の処理、あるいは処理をしないときには回路を停止させる等の制御機能を備える。
【０１５８】
第１フィルタ１７１は、バンドパスフィルタであり、信号音生成部１４Ａで生成している信号音の周波数のみを通過させる。
【０１５９】
第１メモリ１７２は、第１フィルタ１７１用の記録部であり、信号音が発生している期間の情報より長い期間の情報を蓄積する。
【０１６０】
ゲイン調整部１７３は、補間処理部の一例であり、第１メモリ１７２にアクセスして、「前後の音圧レベルの平均値による補間」、「前後の音圧レベルを用いた補間」、「信号音により付加された成分のみの除去」を行う。例えば「前後の音圧レベルの平均値による補間」と「前後の音圧レベルを用いた補間」を行う場合は、第１メモリに蓄積されている信号音が重畳される直前と信号音が重畳された直後の音圧レベルを使用する。「信号音により付加された成分のみの除去」する場合は、予め分かっている信号音の音圧レベルを除去するだけなのでメモリを使わない構成も可能であるが、減算処理などを行うため、メモリ（第１メモリ１７２）を使用する構成の方がより好適である。なお、メモリを使用しない構成にした場合は、第１フィルタ１７１用のメモリ（第１メモリ１７２）は不要だが、第２フィルタ１７４用のメモリ（第２メモリ１７５）は、ゲイン調整部１７３によるゲイン調整により発生する遅延と整合をとるために必要である。
【０１６１】
第２フィルタ１７４は、信号音生成部１４Ａで生成している信号音以外の周波数を通過させる。信号音の周波数以外について特に処理を行わないが、第１フィルタ１７１を通してゲイン調整を行う信号音の周波数の処理と遅延を合わせるために、第２メモリ１７５を経由させる。
【０１６２】
［映像記録装置の処理例］
次に、図３０に示すフローチャートを参照して、映像再生装置１３０の処理を説明する。
図３０において、ステップＳ８３〜Ｓ８７以外、すなわちステップＳ８１，Ｓ８２，Ｓ８８〜Ｓ９０の処理はそれぞれ、図１２のステップＳ４１，Ｓ４２，Ｓ４４〜Ｓ４６と同じであり、重複部分については詳細な説明を割愛する。
【０１６３】
まず、制御部１２は操作部１１からの操作信号の入力の有無を監視しており、操作部１１の映像撮影開始ボタンが押されたことを検出する（ステップＳ８１）。映像撮影開始ボタンが押されたことを検出すると、続いて映像撮影停止ボタンが押されていないか確認する（ステップＳ８２）。
【０１６４】
ステップＳ８２において映像撮影停止ボタンが押されていない場合、制御部１２は撮像部１３で画像を撮影するよう制御し、それと同時に、信号音生成部１４Ａで所定の音階からなる信号音を生成するよう制御する。信号音生成部１４Ａは生成した信号音をスピーカへ出力し、スピーカ１５から信号音を放音する。また、信号音生成部１４Ａは、生成した信号音の周波数と除去タイミングの情報（信号音情報）を第１フィルタ１７１および第２フィルタ１７４へ供給する。そして、マイク入力部１６は映像記録装置１７０の周囲の音とともにスピーカ１５から流れる信号音を収音し、音声信号に変換して第１フィルタ１７１および第２フィルタ１７４に入力する（ステップＳ８３）。
【０１６５】
次に、第１フィルタ１７１において、信号音生成部１４Ａから供給された信号音のタイミングに合わせて、該当信号音の周波数成分のみ通過させ、第１メモリ１７２に蓄積する（ステップＳ８４）。
【０１６６】
ゲイン調整部１７３は、第１メモリ１７２にアクセスして、ゲイン調整処理（平均値、補間、信号音成分除去）を行う（ステップＳ８５）。いずれのゲイン調整処理を行うかは、映像記録装置１７０の製造業者が予め設定してもよいし、あるいはユーザが選択できるようにすると利便性が向上する。
【０１６７】
一方、第２フィルタ１７４において、信号音生成部１４Ａから供給された信号音のタイミングに合わせて、該当信号音以外の周波数成分を通過させ、第２メモリ１７５に蓄積する（ステップＳ８６）。これは、ゲイン調整部１７３を設けたことによる遅延調整のためである。
【０１６８】
そして、第１メモリ１７２に蓄積されたステップＳ８５の処理の結果と、第２メモリ１７５に蓄積されたステップＳ８６の処理の結果とを、加算器１７６に出力して加算し、加算結果を映像処理部１８に供給する（ステップＳ８７）。
【０１６９】
次に、映像処理部１８は、撮像部１３から取り込んだ映像信号と、加算器１７６から取り込んだ音声信号をメモリに蓄積できるように処理をする（ステップＳ８８）。
【０１７０】
映像処理部１８は、ステップＳ８８の処理が終了後、映像データおよび音声データを映像用メモリ１９に書き込む（ステップＳ８９）。
【０１７１】
ステップＳ８９の処理が終了後はステップＳ８２の処理に戻り、制御部１２は、映像撮影停止ボタンが押されていないかどうかを再び確認する。映像撮影停止ボタンが押されていない場合は、前述のステップＳ８３〜Ｓ８９の処理を繰り返す。
【０１７２】
一方、映像撮影停止ボタンが押された場合は、撮像部１３での画像撮影、スピーカ１５から流す信号音、マイク入力部１６による収音を停止する（ステップＳ９０）。この処理が終了後、一連の処理を終了する。
【０１７３】
上述した実施の形態によれば、音声信号のうち信号音の発生タイミングに合わせて信号音の周波数成分が除去された箇所を対象として補間処理を行い、除去処理後の音声信号の対象部分の音圧レベルが０にならないようにしている。かつ、周波数成分が除去された箇所の前後の音圧レベルを利用して適切な補間処理を行うようにしたので、再生音が自然な音に聞こえ、ユーザにビデオの劣化を感じさせない。
【０１７４】
なお、映像記録装置で補間処理を行う例について説明したが、映像再生装置で行うことも可能である。
【０１７５】
また、本実施の形態においても、第１の実施の形態の場合と同様、「映像用メモリを使用する形態（図２，図６）」と「音声用メモリと画像用メモリを使用する形態（図４，図８）」の両方の形態が適用できる。
【０１７６】
＜５．信号音の具体例＞
以下の２点を条件に、適切な周波数例、タイミング例を検討した。
（１）信号音として、周囲の人が撮影中であることをユーザに知らせることが可能な目立つ音であること
（２）除去した際に、劣化がほとんど目立たないこと
【０１７７】
音の継続期間が約２００ｍｓよりも短くなると定常的な音よりも聴こえ方が悪くなるとされている（「聴覚と音響心理」、境久雄編著、コロナ社、１９７８年、ｐ．１６１−１６２）。
例えば、１９００Ｈｚ〜２１００Ｈｚは、除去しても人間がほとんど感じない周波数帯域である。そのため電話回線でファクシミリ送信を行う時は、この帯域を使っている（電話で支障がない）。
また、１９００Ｈｚ〜２１００Ｈｚの周波数を採用すると、一般に、人間にとっては感じにくい音になる。しかし、「聴覚と音響心理」のｐ．７５にある６．３可聴範囲の項目の図６．６を見ると、１９００Ｈｚ〜２１００Ｈｚでは、音圧レベルを約１２０ｄＢにすると不快感が生じはじめる（図３１に示すグラフの「７：不快感が生じはじめた周波数」を参照。）。
【０１７８】
信号音の周波数のみを対象として処理を行う方法（第２の実施の形態：図１０，１３〜１６，１９，２０、第４の実施の形態：図２６〜２８）の適切な一例は、図３２に示すような場合である。
（１）周波数は、除去しても人間がほとんど感じない１９００Ｈｚ〜２１００Ｈｚ
（２）信号音の大きさは、１９００Ｈｚ〜２１００Ｈｚでも周囲の人に良く聞こえるが不快感を与えない８０ｄＢ
（３）信号音の長さは、定常的に聞こえる２００ｍｓ
なお、本明細書では、信号音の周波数を常に除去する方法についても説明したが、品質を維持するためには、信号音が出されたタイミングのみ、信号音の周波数のみを処理することが望ましい。
【０１７９】
第２の実施の形態と第４の実施の形態では、信号音の周波数のみの除去や補間を行うので、除去しても人間がほとんど感じない周波数のみ信号音が重畳されている２００ｍｓの間のみ処理を施すので、人間はほとんど劣化が分からない。特に第４の実施の形態の信号音で重畳された成分のみ除去する手法は、有効である。
【０１８０】
第１の実施の形態は、等間隔で信号音を生成しているが、図３２と同様の周波数例を適用することが可能である。図３３に示すように、本明細書では、信号音の周波数を常に除去する方法についても説明しているが、品質を維持するためには、信号音が出されたタイミングのみ、信号音の周波数のみを処理することが望ましい。等間隔で信号音を生成する場合も、第４の実施の形態の手法で補間することも可能である。
【０１８１】
信号音が発生するタイミングに関して、全ての音を除去して白色雑音を挿入する第３の実施の形態の手法は、人間の耳の補間能力が問題になる。人間の補間能力は、およそ１０ｍｓといわれる。前述のように音の継続期間が２００ｍｓよりも短くなると定常的な音よりも聴こえ方が悪くなる。しかし、人間にとって一番聞こえやすい１ｋＨｚ（「音響工学入門」、早坂寿雄著、日刊工業新聞社、１９７８年、ｐ．１４）を信号音で使用することにより、周囲に信号音を聞こえやすくできる。１ｋＨｚで１０ｍｓの短音を生成した場合の最小可聴限は、約１５ｄＢである（図３４参照）。１ｋＨｚで１０ｍｓの短音は、１５ｄＢ以上の大きさにする必要がある。また、図３５にあるように、１ｋＨｚで１０ｍｓ短音を生成した場合は、１ｋＨｚ以外の周波数の成分も発生するが、全ての音を除去するので問題にならない。これらを満たしたタイミング例が図３６である。第１の実施の形態の手法と同様、等間隔で生成することも可能である。
【０１８２】
第１，第２，第４の実施の形態の手法では、一部の周波数のみを除去するので、除去しても目立たない周波数を定常的に聞こえる２００ｍｓ継続することによって、信号音として周囲には撮影中であることを周知できる。さらに、除去した際の音質の劣化をほとんど目立たないようすることができる。
【０１８３】
信号音が重畳されるタイミングで全ての音を除去した後に白色雑音を挿入する第３の実施の形態の手法は、人間が補間することが可能な時間間隔で、目立つ周波数で信号音を生成することを特徴としている。
【０１８４】
上述した実施の形態は、電子機器の例としてカメラ付き携帯電話端末を例に説明したが、上述した一連の処理は、ハードウェアにより実行させることもできるし、ソフトウェアにより実行させることもできる。また、これらの処理を実行する機能はハードウェアとソフトウェアの組み合わせによっても実現できることは言うまでもない。一連の処理をソフトウェアにより実行させる場合には、そのソフトウェアを構成するプログラムが専用のハードウェアに組み込まれているコンピュータ、または、各種のプログラムをインストールすることで各種の機能を実行することが可能な、例えば汎用のコンピュータなどに、プログラム記録媒体からインストールされる。
【０１８５】
図３７は、上述した一連の処理をプログラムにより実行するコンピュータの構成例を示すブロック図である。このコンピュータ３０１は、例えば一連の処理を実行するために高性能化した専用コンピュータの他、一定の性能を備えるパーソナルコンピュータなどでもよい。
【０１８６】
コンピュータ３０１のＣＰＵ（Central Processing Unit）３１１は、ＲＯＭ（Read Only Memory）３１２、または記録部３１８に記録されているプログラムに従って、上記一連の処理の他、各種の処理を実行する。ＲＡＭ（Random Access Memory）３１３には、ＣＰＵ３１１が実行するプログラムやデータなどが適宜記憶される。これらのＣＰＵ３１１、ＲＯＭ３１２、およびＲＡＭ３１３は、バス３１４により相互に接続されている。
【０１８７】
ＣＰＵ３１１にはまた、バス３１４を介して入出力インタフェース３１５が接続されている。入出力インタフェース３１５には、キーボード、マウス、マイクロホンなどを含む入力部３１６、ディスプレイ、スピーカなどを含む出力部３１７が接続されている。ＣＰＵ３１１は、入力部３１６から入力される指令に対応して各種の処理を実行する。そして、ＣＰＵ３１１は、処理の結果を出力部３１７に出力する。
【０１８８】
入出力インタフェース３１５に接続されている記録部３１８は、例えばハードディスクからなり、ＣＰＵ３１１が実行するプログラムや各種のデータを記録する。
【０１８９】
通信部３１９は、インターネットやローカルエリアネットワークなどのネットワークを介して外部の装置と通信する。また通信部３１９を介してプログラムを取得し、記録部３１８に記録してもよい。カメラ付き携帯電話端末の場合、通信部３１９は、電話回線（無線）を介した通話および通信を行う。ここで、通話時には、マイク入力部３２５から入力された音声は音声処理部３２３で音声処理を施され、通信部３１９で所定の周波数の電波に重畳されて図示しない基地局へ送信される。一方、基地局から受信する電波は図示しないアンテナを介して通信部３１９に入力され、通信部３１９は入力した電波から所定の信号を抽出し、抽出した信号を復調して音声化し、音声処理部３２３を介してスピーカ３２４から出力する。
【０１９０】
また、バス３１４には、撮像部３２１と映像処理部３２２が接続され、ＣＰＵ３１１の制御の下で、撮像処理や映像処理を行う。
【０１９１】
入出力インタフェース３１５に接続されているドライブ３２０は、磁気ディスク、光ディスク、光磁気ディスク、あるいは半導体メモリなどのリムーバブルメディア３３１が装着されたとき、それらを駆動し、そこに記録されているプログラムやデータなどを取得する。取得されたプログラムやデータは、必要に応じて記録部３１８に転送され、記録される。
【０１９２】
コンピュータにインストールされ、コンピュータによって実行可能な状態とされるプログラムを格納するプログラム記録媒体は、図３７に示すように、リムーバブルメディア３３１によりパッケージメディアとして提供される。リムーバブルメディア３３１としては、磁気ディスク（フレキシブルディスクを含む）、光ディスク（ＣＤ−ＲＯＭ（Compact Disc - Read Only Memory），ＤＶＤ（Digital Versatile Disc），光磁気ディスクを含む）、もしくは半導体メモリなどを適用することができる。あるいは、プログラム記録媒体は、プログラムが一時的もしくは永続的に格納（記録）されるＲＯＭ３１２や、記録部３１８を構成するハードディスクなどにより構成される。
【０１９３】
このプログラム記録媒体へのプログラムの格納は、必要に応じてルータ、モデムなどのインタフェースである通信部３１９を介して、ローカルエリアネットワーク(LAN：Local Area Network)、インターネット、デジタル衛星放送といった、有線または無線の通信媒体を利用して行われる。
【０１９４】
なお、本明細書において、プログラム記録媒体に格納されるプログラムを記述する処理ステップは、記載された順序に沿って時系列的に行われる処理はもちろん、必ずしも時系列的に処理されなくとも、並列的あるいは個別に実行される処理（例えば、並列処理あるいはオブジェクトによる処理）をも含むものである。
【０１９５】
また、プログラムは、一つのコンピュータにより処理されるものであってもよいし、複数のコンピュータによって分散処理されるものであってもよい。さらに、プログラムは、遠方のコンピュータに転送されて実行されるものであってもよい。
【０１９６】
以上に述べた実施の形態は、本発明を実施するための好適な形態の具体例であるから、技術的に好ましい種々の限定が付されている。ただし、本発明は、以上の実施の形態の説明において特に本発明を限定する旨の記載がない限り、これらの実施の形態に限られるものではない。したがって、例えば、以上の説明で挙げた使用材料とその使用量、処理時間、処理順序および各パラメータの数値的条件等は好適例に過ぎず、また、説明に用いた各図における寸法、形状および配置関係等も実施の形態の一例を示す概略的なものである。すなわち、本発明は、上述した実施の形態の例に限定されるものではなく、本発明の要旨を逸脱しない範囲において、種々の変形、変更が可能である。
【図面の簡単な説明】
【０１９７】
【図１】本発明の第１の実施の形態に係る、信号音の生成および除去のタイミングを説明するための図である。
【図２】本発明の第１の実施の形態に係る、映像記録装置の内部構成例を示すブロック図である。
【図３】本発明の第１の実施の形態に係る、映像記録装置の処理を示すフローチャートである。
【図４】本発明の第１の実施の形態の変形例に係る、映像記録装置の内部構成例を示すブロック図である。
【図５】本発明の第１の実施の形態の変形例に係る、映像記録装置の処理を示すフローチャートである。
【図６】本発明の第１の実施の形態に係る、映像再生装置の内部構成例を示すブロック図である。
【図７】本発明の第１の実施の形態に係る、映像再生装置の処理を示すフローチャートである。
【図８】本発明の第１の実施の形態の変形例に係る、映像再生装置の内部構成例を示すブロック図である。
【図９】本発明の第１の実施の形態の変形例に係る、映像再生装置の処理を示すフローチャートである。
【図１０】本発明の第２の実施の形態に係る、信号音の生成および除去のタイミングを説明するための図である。
【図１１】本発明の第２の実施の形態に係る、映像記録装置の内部構成例を示すブロック図である。
【図１２】本発明の第２の実施の形態に係る、映像記録装置の処理を示すフローチャートである。
【図１３】本発明の第２の実施の形態の第１の変形例に係る、信号音の生成および除去のタイミングを説明するための図である。
【図１４】本発明の第２の実施の形態の第２の変形例に係る、信号音の生成および除去のタイミングを説明するための図である。
【図１５】本発明の第２の実施の形態の第３の変形例に係る、信号音の生成および除去のタイミングを説明するための図である。
【図１６】本発明の第３の実施の形態に係る、信号音の生成および除去のタイミングを説明するための図である。
【図１７】本発明の第３の実施の形態に係る、映像記録装置の内部構成例を示すブロック図である。
【図１８】本発明の第３の実施の形態に係る、映像記録装置の処理を示すフローチャートである。
【図１９】本発明の第３の実施の形態の第１の変形例に係る、信号音の生成および除去のタイミングを説明するための図である。
【図２０】本発明の第３の実施の形態の第２の変形例に係る、信号音の生成および除去のタイミングを説明するための図である。
【図２１】本発明の第３の実施の形態の第３の変形例に係る、映像記録装置の内部構成例を示すブロック図である。
【図２２】本発明の第３の実施の形態の第３の変形例に係る、映像記録装置の処理を示すフローチャートである。
【図２３】本発明の第３の実施の形態の第３の変形例に係る、映像再生装置の内部構成例を示すブロック図である。
【図２４】本発明の第３の実施の形態の第３の変形例に係る、映像再生装置の処理を示すフローチャートである。
【図２５】本発明の第４の実施の形態に係る、信号音の周波数帯域の時間と音圧レベルの関係の一例を示すグラフである。
【図２６】本発明の第４の実施の形態の第１例に係る、信号音の除去および補間を説明するための図である。
【図２７】本発明の第４の実施の形態の第２例に係る、信号音の除去および補間を説明するための図である。
【図２８】本発明の第４の実施の形態の第３例に係る、信号音の除去および補間を説明するための図である。
【図２９】本発明の第４の実施の形態に係る、映像記録装置の内部構成例を示すブロック図である。
【図３０】本発明の第４の実施の形態に係る、映像記録装置の処理を示すフローチャートである。
【図３１】音の可聴範囲を示す図である。
【図３２】本発明の第２および第４の実施の形態に係る、２つの信号音の周波数および生成のタイミングの具体例を示す図である。
【図３３】本発明の第１の実施の形態に係る、２つの信号音の周波数および生成のタイミングの具体例を示す図である。
【図３４】短音の最小可聴限を示す図である。
【図３５】１０００Ｈｚ，１０ｍｓ短音の周波数成分を示す図である。
【図３６】本発明の第３の実施の形態に係る、２つの信号音の周波数および生成のタイミングの具体例を示す図である。
【図３７】コンピュータの構成例を示すブロック図である。
【符号の説明】
【０１９８】
１…第１周波数、２…第２周波数、３，４…除去対象周波数、１０，３０，７０…映像記録装置、１１…操作部、１２…制御部、１３…撮像部、１４，１４Ａ…信号音生成部、１５…スピーカ、１６…マイク入力部、１７…バンドパスフィルタ、１８…映像処理部、１９…映像用メモリ、３１…画像処理部、３２…画像用メモリ、３３…音声処理部、３４…音声用メモリ、６１…第１周波数、６２…第２周波数、１１０…映像記録装置、１１１…白色雑音挿入部、１２０…映像記録装置、１２１…信号音用メモリ、１６０…音声信号、１６０ａ…信号音，１６０ｂ，１６０ｃ，１６０ｄ…信号音発生範囲の補正後の音声信号、１７０…映像記録装置、１７１…第１フィルタ、１７２…第１メモリ、１７３…ゲイン調整部、１７４…第２フィルタ、１７５…第２メモリ、１７６…加算器
【図１】
2010093369.tif 000003
【図２】
2010093369.tif 000004
【図３】
2010093369.tif 000005
【図４】
2010093369.tif 000006
【図５】
2010093369.tif 000007
【図６】
2010093369.tif 000008
【図７】
2010093369.tif 000009
【図８】
2010093369.tif 000010
【図９】
2010093369.tif 000011
【図１０】
2010093369.tif 000012
【図１１】
2010093369.tif 000013
【図１２】
2010093369.tif 000014
【図１３】
2010093369.tif 000015
【図１４】
2010093369.tif 000016
【図１５】
2010093369.tif 000017
【図１６】
2010093369.tif 000018
【図１７】
2010093369.tif 000019
【図１８】
2010093369.tif 000020
【図１９】
2010093369.tif 000021
【図２０】
2010093369.tif 000022
【図２１】
2010093369.tif 000023
【図２２】
2010093369.tif 000024
【図２３】
2010093369.tif 000025
【図２４】
2010093369.tif 000026
【図２５】
2010093369.tif 000027
【図２６】
2010093369.tif 000028
【図２７】
2010093369.tif 000029
【図２８】
2010093369.tif 000030
【図２９】
2010093369.tif 000031
【図３０】
2010093369.tif 000032
【図３１】
2010093369.tif 000033
【図３２】
2010093369.tif 000034
【図３３】
2010093369.tif 000035
【図３４】
2010093369.tif 000036
【図３５】
2010093369.tif 000037
【図３６】
2010093369.tif 000038
【図３７】
2010093369.tif 000039